(57)【要約】【課題】大量の弾丸を収納することができ、既存の空気銃に何らの構造変更も加えることなく装着でき、マガジン内への弾丸の補充も容易な玩具用空気銃の弾倉マガジンを提供することを課題とする。【解決手段】一端を充填口としたケース２を設け、前記ケース２の前記充填口と反対側端部に弾丸供給路６を突設し、また、前記ケース２の外側面に、銃本体２１のスコープマウントベース部分に固定可能にするマガジン取付手段９を設けて成る。好ましくは、前記充填口を閉塞するキャップ３に、前記ケース２内を摺動する弾丸押圧板をスプリングを介して取り付ける。前記マガジン取付手段９は、前記ケース２に突設されるネジ挿通孔を有する舌状のマガジン取付部材とする。【選択図】        図２
2004239531.tif 000002
【特許請求の範囲】
【請求項１】
一端を充填口としたケースを設け、前記ケースの前記充填口と反対側端部に弾丸供給路を突設し、また、前記ケースの外側面に、銃本体のスコープマウントベース部分に固定可能にするマガジン取付手段を設けて成る玩具用空気銃の弾倉用マガジン。
【請求項２】
前記充填口を閉塞するキャップに、前記ケース内を摺動する弾丸押圧板をスプリングを介して取り付けた請求項１に記載の玩具用空気銃の弾倉用マガジン。
【請求項３】
前記マガジン取付手段は、前記ケースに突設されるネジ挿通孔を有する舌状のマガジン取付部材である請求項１又は２に記載の玩具用空気銃の弾倉用マガジン。
【請求項４】
前記マガジン取付部材のネジ挿通孔は、外に開放されたものである請求項３に記載の玩具用空気銃の弾倉用マガジン。
【請求項５】
前記マガジン取付手段は、マガジンとスコープマウントベースとの間に渡されるブラケットである請求項１又は２に記載の玩具用空気銃の弾倉用マガジン。
【請求項６】
前記弾丸供給路の内端部に向かって先細となる誘導部を備えた請求項１乃至５のいずれかに記載の玩具用空気銃の弾倉用マガジン。
【請求項７】
前記弾丸供給路および誘導部を、前記ケースの端部に着脱可能にした弾丸供出部内に配設した請求項１乃至６のいずれかに記載の玩具用空気銃の弾倉用マガジン。
【発明の詳細な説明】
【０００１】
【発明が属する技術分野】
本発明は、玩具用空気銃の弾倉マガジンに関し、詳細には、空気圧を用いて球状の弾丸を発射する玩具用の空気銃で、スコープを備えた、所謂エアコッキングライフルと称されるライフル銃タイプの空気銃に装着する弾倉マガジンであって、多弾収納が可能な玩具用空気銃の弾倉マガジンに関する。
【０００２】
【従来の技術】
一般に、上記のタイプの空気銃においては、弾丸を装填するマガジンは空気銃本体とは別体に形成され、空気銃本体の上面側部に着脱自在に装着される。その場合弾丸の補給は、マガジンを交換することにより即座に行なうことができる利点がある。
【０００３】
図５は空気銃に取り付けられた従来のマガジンの一例を示すものであり、図中３１はマガジンで、銃本体上部のスコープ取付部の脇に装脱可能に取り付けられる。マガジン３１の内部には、多数の弾丸３２が一列に装填され、スプリング３３に付勢されて先端部に押送される。マガジン３１の先端部には、銃本体のアウターバレル３４に穿設される弾丸導入孔内に進入する弾丸供給路が突設される。
【０００４】
マガジン３１内の弾丸３２は、スプリング３３に押され、弾丸導入孔内の弾丸供給路から順次、アウターバレル３４内の弾丸装填部に供給される。
【０００５】
このような従来のマガジンにあっては、装弾数は２０〜３０発程度と少なく、すぐに弾切れを生じてしまうため、弾丸消費量の多いときにはマガジンの取替えを頻繁に行なわなければならない煩わしさがあり、弾丸を大量に充填することのできるマガジンの出現が要望されていた。
【０００６】
【発明が解決しようとする課題】
本発明は、上記要望に応えるためになされたもので、大量の弾丸を収納することができ、既存の空気銃に何らの構造変更も加えることなく装着でき、マガジン内への弾丸の補充も容易な玩具用空気銃の弾倉マガジンを提供することを課題とする。
【０００７】
【課題を解決するための手段】
本発明は、一端を充填口としたケースを設け、前記ケースの前記充填口と反対側端部に弾丸供給路を突設し、また、前記ケースの外側面に、銃本体のスコープマウントベース部分に固定可能にするマガジン取付手段を設けて成る玩具用空気銃の弾倉用マガジン、を以て上記課題を解決するものである。
【０００８】
好ましくは、前記充填口を閉塞するキャップに、前記ケース内を摺動する弾丸押圧板をスプリングを介して取り付け、前記マガジン取付手段は、前記ケースに突設されるネジ挿通孔を有する舌状のマガジン取付部材とし、あるいは、マガジンとスコープマウントベースとの間に渡されるブラケットとし、また、前記弾丸供給路の内端部に向かって先細となる誘導部を備えたものとし、更に、前記弾丸供給路および誘導部を、前記ケースの端部に着脱可能にした弾丸供出部内に配設したものとする。
【０００９】
【発明の実施の形態】
本発明の好適な実施の形態について、添付図面を参照して詳細に説明する。先ず、図１乃至図４に示す実施形態について説明する。図１は、本発明に係る玩具用空気銃のマガジン装着状態を示す斜視図、図２は、本発明に係る玩具用空気銃のマガジン装着方法を示す斜視図、図３は、本発明に係る玩具用空気銃のマガジンの正面図（ａ）及び正面縦断面図（ｂ）である。
【００１０】
図１乃至３において、１は本発明に係るマガジンを示す。図示した例のマガジン１は、円筒状のケース２と、その一端に取り付けられるキャップ３と、その他端に取り付けられる弾丸供出部４とから構成されている。通例、キャップ３と弾丸供出部４は、それぞれネジ込み方法によってケース２に取り付けられる。マガジン１内には、例えば従来の約１０倍の１００〜２００発の弾丸２２の収納が可能となる。
【００１１】
弾丸供出部４内には、その開放側から閉塞側に向かって先細となる誘導部５が設置される。誘導部５の先端には、外部へ突出する弾丸供給路６が連設される。
【００１２】
好ましい実施形態においては、キャップ３に、ケース２の断面形状を呈する弾丸押圧板７がスプリング８を介して取り付けらる。弾丸押圧板７は、常時スプリング８に付勢されてケース２内を摺動し得るようにされる。
【００１３】
また、ケース２の外側面には、マガジン取付手段としての舌状のマガジン取付部材９が２つ突設される。マガジン取付部材９は、銃本体２１のアウターバレル１０に設置されるスコープマウントベース取付台１２に対応する間隔に設置され、スコープマウントベース取付台１２に固定可能に構成される。
【００１４】
マガジン取付部材９のスコープマウントベース取付台１２への固定は、通例ネジ止めによる。そのためにマガジン取付部材９には、ネジ挿通孔９ａが設けられる。ネジ挿通孔９ａは円形孔（図４（Ａ））又は長孔（図４（Ｂ））とされ、場合によっては外に開放されたもの（図４（Ｃ）、（Ｄ））とされる。外に開放されたものの場合は、スコープマウントベース１７を完全に分離しないで浮かした状態において、マガジン取付部材９の固定作業が可能となる。
【００１５】
マガジン１の装着は、スコープ１５を取り外して行なう。即ち、図１に示されるスコープ１５を固定する固定部材１６をスコープマウントベース１７から外し、ネジ１８を緩めてスコープマウントベース１７をスコープマウントベース取付台１２から外し（図２に示す状態）、あるいは、浮かす。その状態で弾丸供給路６を、アウターバレル１０に穿設される弾丸導入口１１内に挿入すると共に、マガジン取付部材９をスコープマウントベース取付台１２上に載置し、その上にスコープマウントベース１７を載せ、マガジン取付部材９を挟んでネジ止めする。
【００１６】
マガジン１内への弾丸２２の充填は、キャップ３を取り外して行なう。キャップ３が閉められると、各弾丸２２は、スプリング８に付勢された弾丸押圧板７によって、常時誘導部５方向に押送され、誘導部５の傾斜に沿って、順次弾丸供給口６に送り出される。弾丸押圧板７を設置しない場合は、銃身を傾けることにより、弾丸２２を誘導部５に導く。
【００１７】
このようにマガジン１を空気銃に装着した状態において、トリガを引いて弾丸２２が発射されると、空気銃の弾丸装填機構によって弾丸供給口６の先端のストッパーが解除され、そのタイミングによって弾丸押圧板７に当接する弾丸２２に押圧力が加えられて、ケース２内に密に充填された弾丸２２を順次弾丸供給口６から押出して、アウターバレル１０内の装弾部に供給する作用が得られる。
【００１８】
次に、図５に示す実施形態について説明する。この実施形態は、マガジン取付手段として、マガジン１とスコープマウントベース１７との間に渡されるブラケット１９を用いたものである。ブラケット１９は、例えばＬ字型とし、その垂直部をスコープマウントベース１７の側面にネジ止め等により固定し、その水平部の先端部を、マガジン１の適宜個所にネジ止め等により固定する。ブラケット１９は通例２個用いるが、その間隔は特に問わない。図示した例では長尺化したスコープマウントベース１７を用い、ブラケット１９をマガジン１の両端に取り付けるようにしている。
【００１９】
この場合のマガジン１の構成は、マガジン取付部材９を欠くこと以外、上記実施形態の場合と同じで、やはり弾丸供給路６を弾丸導入口１１内に挿入した状態で、その外側面に、通例、予めスコープマウントベース１７に固定したブラケット１９の水平部を固定する。ブラケット１９のスコープマウントベース１７への固定は、スコープ１５を装着したまま行なうことも可能である。
【００２０】
なお、図示した例においては、マガジン１は円筒状に形成されているが、勿論、マガジン１はこの形状に限定されるものではなく、その他の形状、例えば、角柱状等に形成することも可能である。
【００２１】
【発明の効果】
本発明は上述した通りであって、大量の弾丸を収納することができ、既存の空気銃に格別の構造変更を加えることなく装着でき、マガジン内への弾丸の補充も容易であって、煩わしい弾倉交換の手間が省ける効果がある。
【図面の簡単な説明】
【図１】本発明に係る玩具用空気銃の弾倉マガジンの一構成例の装着状態を示す斜視図である。
【図２】本発明に係る玩具用空気銃の弾倉マガジンの一構成例の装着方法を示す分解斜視図である。
【図３】本発明に係る玩具用空気銃の弾倉マガジンの一構成例の正面図及び正面縦断面図である。
【図４】本発明に係る玩具用空気銃の弾倉マガジンのケースに突設されるマガジン取付部材の形状例を示す図である。
【図５】本発明に係る玩具用空気銃の弾倉マガジンの他の構成例の装着方法を示す分解斜視図である。
【図６】従来の玩具用空気銃の弾倉マガジンの装着状態を示す斜視図である。
【符号の説明】
１      マガジン
２      ケース
３      キャップ
４      弾丸供出部
５      誘導部
６      弾丸供給路
７      弾丸押圧板
８      スプリング
９      マガジン取付部材
９ａ    ネジ挿通孔
１０    アウターバレル
１１    弾丸導入口
１２    スコープマウントベース取付台
１５    スコープ
１６    固定部材
１７    スコープマウントベース
１８    ネジ
１９    ブラケット
【図１】
2004239531.tif 000003
【図２】
2004239531.tif 000004
【図３】
2004239531.tif 000005
【図４】
2004239531.tif 000006
【図５】
2004239531.tif 000007
【図６】
2004239531.tif 000008